(57)【要約】【課題】高品質の読み取り・書き込み性能を実現することのできる光ピックアップ装置を提供する。【解決手段】光ピックアップ装置は、第１光源１、第２光源２、波長選択膜５の備わったビームスプリッタ６、フロントモニタＰＤ７、コリメートレンズ８、立ち上げミラー９、反射ミラーＤ１０、反射ミラーＣ１１および対物レンズを備えてなる。波長選択膜５は、第１光源１からの光ビームをほぼ１００％反射させるとともに、第２光源２からの光ビームをほぼ１００％透過させる。第１光源１からのレーザー光は、光ディスクへの書き込みや信号の再生（読み取り）では用いない不要光が反射ミラーＤ１０で反射され、フロントモニタＰＤ７に入射する。第２光源２からのレーザー光は、前記不要光が、カップリングレンズ１２と同じ位置に配置された反射ミラーＣ１１で反射され、フロントモニタＰＤ７に入射する。【選択図】  図１
2005025850.tif 000002
【特許請求の範囲】
【請求項１】
相異なる波長のレーザー光を出射する少なくとも２つの光源と、これらの光源からの光ビームを反射させるかあるいは透過させるビームスプリッタと、このビームスプリッタで反射されあるいは透過された光ビームを平行にするコリメートレンズと、このコリメートレンズで平行にされた光ビームを立ち上げのために反射させる立ち上げミラーと、この立ち上げミラーで反射されたレーザー光を透過させる対物レンズとを備えてなり、
前記ビームスプリッタが、前記光源のうちの１つからの光ビームを実質的にすべて反射させるとともに前記光源のうちの別の１つからの光ビームを実質的にすべて透過させる波長選択膜を有し、
さらに、前記光源のそれぞれから出射されて前記ビームスプリッタおよび前記コリメートレンズを経て前記立ち上げミラーで反射される際に立ち上げが不要になる光ビームを、あらかじめ前記ビームスプリッタの手前でそれぞれ反射させる少なくとも２つの反射ミラーと、これらの反射ミラーで反射された光ビームを受けてそれらの光量を監視するフロントモニタＰＤとを備えていることを特徴とする光ピックアップ装置。
【請求項２】
前記光源のうちの１つから出射されて前記ビームスプリッタで透過される前の光ビームを前記ビームスプリッタの手前でほぼ平行にする補助コリメートレンズをさらに備え、前記反射ミラーのうちの１つが、前記補助コリメートレンズと同じ位置に配置されていることを特徴とする請求項１に記載の光ピックアップ装置。
【請求項３】
前記補助コリメートレンズは、１つの平坦側面とこれに連なる１つの湾曲側面とからなってＤ字状横断面が形成されるように、丸棒状のものからＤ字状にカットされてなることを特徴とする請求項２に記載の光ピックアップ装置。
【請求項４】
前記補助コリメートレンズの前記平坦側面が、光ピックアップのラジアル方向と等価な方向に対して平行な面であることを特徴とする請求項３に記載の光ピックアップ装置。
【請求項５】
前記コリメートレンズおよび前記補助コリメートレンズが、前記ビームスプリッタを挟んだ状態に配置され、かつ、前記補助コリメートレンズの前記平坦側面が、前記補助コリメートレンズに入射する光ビームの光源に正対するように配置されていることを特徴とする請求項３に記載の光ピックアップ装置。
【請求項６】
前記反射ミラーは、１つの斜面が反射面にされている台形プリズムからなることを特徴とする請求項１に記載の光ピックアップ装置。
【請求項７】
前記フロントモニタＰＤの手前に、前記反射ミラーのそれぞれで反射された光ビームを受けて減衰させるアッテネータが配置されていることを特徴とする請求項１に記載の光ピックアップ装置。
【請求項８】
前記フロントモニタＰＤは、その入射光量が、前記反射ミラーの設置位置および／または有効反射面積を変更することにより、可変にされていることを特徴とする請求項１に記載の光ピックアップ装置。
【請求項９】
前記フロントモニタＰＤは、その入射光量が、前記反射ミラーのそれぞれの反射率を変更することにより、可変にされていることを特徴とする請求項１に記載の光ピックアップ装置。
【請求項１０】
請求項１〜９のいずれか１つに記載の光ピックアップ装置を備えてなること特徴とする光ディスク装置。
【発明の詳細な説明】
【０００１】
【発明の属する技術分野】
本発明は、光ピックアップ装置およびそれを備えてなる光ディスク装置に関するものである。本発明は、さらに詳しくは、ＣＤ（コンパクトディスク）やＤＶＤ（ディジタル万能ディスク）などの光ディスクからの再生や光ディスクへの記録に使用される光ピックアップ装置、特にフロントモニタ方式によってレーザーから出射される光ビームの光量を検出して該光ビームのパワー制御を行うための光ピックアップ装置、および、このような光ピックアップ装置を備えてなる光ディスク装置に関するものである。
【０００２】
【従来の技術】
光ディスクの再生（情報の読み取り）や記録（情報の書き込み）を行う装置としては、例えば特許文献１に示された半導体レーザー光学装置が知られている。
【０００３】
【特許文献１】
特開２００２−２７０９４０号公報
【０００４】
しかしながら、特許文献１に示された半導体レーザー光学装置は、２種類以上の光ディスクの再生や記録を行う装置ではない。
【０００５】
これに対し、２種類以上の光ディスクの再生や記録を行う装置としては、例えばＣＤおよびＤＶＤの両方の再生や記録を行うことのできる装置がある。ただし、この装置では、それぞれの種類の光ディスクに応じて、それぞれの波長のレーザー光を用いる必要がある。
【０００６】
このため、例えばＣＤおよびＤＶＤの両方の再生や記録を行う場合は、ＣＤからの情報の読み出しやＣＤへの情報の書き込みを行うためのレーザー光を入出力することができ、かつ、ＤＶＤの読み出しや書き込みを行うためのレーザー光を入出力することができる光ピックアップ装置を用いる必要がある。
【０００７】
従来、光ピックアップ装置に使われている半導体レーザーは、使用環境における温度変動や使用時からの経年変化などによって、その出射パワーのレベルが変動することがある。
【０００８】
そこで、ＡＰＣ（  Ａｕｔｏ    Ｐｏｗｅｒ  Ｃｏｎｔｒｏｌ  ）回路によりパワー制御を行って、光ディスクなどの情報記録媒体に対して照射される光ビームのパワーレベルの安定化を図る試みがなされている。このＡＰＣの代表的な方式としては、半導体レーザーの放射面とは反対側の端面から出射される光ビームをモニタするリアモニタ方式（内部モニタ方式）と、半導体レーザーの放射面に対向する端面から出射される光ビームをモニタするフロントモニタ方式（外部モニタ方式）とがある。
【０００９】
しかしながら、リアモニタ方式には検出精度などの点で若干問題があることから、一般にはフロントモニタ方式が採用されている。フロントモニタ方式は、半導体レーザーから出射される光ビームの一部をモニタして半導体レーザーの駆動回路にフィードバックし、光ビームのパワーを一定に保つように制御する方式である。
【００１０】
図８には、従来におけるフロントモニタ方式の光ピックアップ装置の光出力系が示されている。
【００１１】
図８に示された光ピックアップ装置は、波長λ１のレーザー光を出射する第１光源１と、波長λ２のレーザー光を出射する第２光源２と、波長選択膜５を介して２つの直角プリズム３，４を貼り合わせて構成されたビームスプリッタ６と、フロントモニタＰＤ（ホトダイオード）７と、コリメートレンズ８と、立ち上げミラー９とを備えてなる。
【００１２】
波長選択膜５は、第１光源１からの波長λ１のレーザー光の大部分を反射させるとともに、そのレーザー光の数％を透過させる機能を備えている。
【００１３】
このため、波長λ１のレーザー光の大部分は、波長選択膜５で反射された後にコリメートレンズ８を通って立ち上げミラー９に入射し、立ち上げミラー９で反射され、対物レンズ（図示略）を通って出力される。また、波長λ１のレーザー光の数％は、波長選択膜５を透過してフロントモニタＰＤ７に入射し、その光量がフロントモニタＰＤ７によって検出される。
【００１４】
波長選択膜５は、第２光源２からの波長λ２のレーザーの大部分を透過させるとともに、そのレーザー光の数％を反射させる機能も備えている。
【００１５】
このため、波長λ２のレーザー光の大部分は、波長選択膜５を透過した後にコリメートレンズ８、立ち上げミラー９および対物レンズ（図示略）を通って出力される。また、波長λ２のレーザー光の数％は、波長選択膜５で反射されてフロントモニタＰＤ７に入射し、その光量がフロントモニタＰＤ７によって検出される。
【００１６】
このように、第１光源１および第２光源２からのレーザー光は、同一の光出力経路（波長選択膜５、コリメートレンズ８、立ち上げミラー９および対物レンズ）で出射されるとともに、同一のフロントモニタＰＤ７に入射される。
【００１７】
【発明が解決しようとする課題】
ところで、この種の光ピックアップ装置は、小型化が求められているとともに、１つの装置で例えばＣＤおよびＤＶＤの両方の光ディスクに対応できるものであることが求められている。
【００１８】
前記のように、フロントモニタ方式を採用した従来の光ピックアップ装置では、必要なレーザー光の数％を波長選択膜によってフロントモニタＰＤに導かなければならないため、対物レンズから出射する光量は必要なレーザー光の１００％ではない。
【００１９】
しかし、書き込み型の光ピックアップ装置では、対物レンズから出射する光量が書き込み速度を左右するため、出射光量が低下することをできるだけ避けることが望まれている。
【００２０】
また、一般的な半導体レーザーの特性として、特に高出力になるにつれて波長が数ｎｍ変動する。このとき、ビームスプリッタの貼り合わせ面が波長選択膜であるため、波長変動により波長選択膜の透過率または反射率が変化し、対物レンズにより光ディスク上に集光されるスポットの光量が変化してしまう。
【００２１】
一般に、フロントモニタＰＤへ照射される光量は、半導体レーザーから出射される光ビームの全体光量の５％以下程度である。このため、仮にビームスプリッタにおける波長選択膜の透過率または反射率が１％変化した場合には、フロントモニタＰＤの出力変化は約２０％となり、半導体レーザーの出射光の出力が約２０％変化し、対物レンズにより光ディスク上に集光されるスポットの光量も約２０％変化してしまうという問題がある。
【００２２】
本発明は、前記のような問題点に鑑みてなされたものであり、その目的は、光ディスクの読み取りや書き込みに不要な光ビームをフロントモニタＰＤに導くことにより、書き込みパワーをロスすることなく光ディスクに出力することができるとともに、半導体レーザーにおける特に高出力時の波長変動が生じた場合においても、フロントモニタＰＤの出力変動を低減して所望の書き込み出力を確保し、高品質の読み取り・書き込み性能を実現することのできる光ピックアップ装置およびそれを備えてなる光ディスク装置を提供することにある。
【００２３】
【課題を解決するための手段】
本発明の１つの観点によれば、相異なる波長のレーザー光を出射する少なくとも２つの光源と、これらの光源からの光ビームを反射させるかあるいは透過させるビームスプリッタと、このビームスプリッタで反射されあるいは透過された光ビームを平行にするコリメートレンズと、このコリメートレンズで平行にされた光ビームを立ち上げのために反射させる立ち上げミラーと、この立ち上げミラーで反射されたレーザー光を透過させる対物レンズとを備えてなり、前記ビームスプリッタが、前記光源のうちの１つからの光ビームを実質的にすべて反射させるとともに前記光源のうちの別の１つからの光ビームを実質的にすべて透過させる波長選択膜を有し、さらに、前記光源のそれぞれから出射されて前記ビームスプリッタおよび前記コリメートレンズを経て前記立ち上げミラーで反射される際に立ち上げが不要になる光ビームを、あらかじめ前記ビームスプリッタの手前でそれぞれ反射させる少なくとも２つの反射ミラーと、これらの反射ミラーで反射された光ビームを受けてそれらの光量を監視するフロントモニタＰＤとを備えていることを特徴とする光ピックアップ装置が提供される。
【００２４】
このように構成された光ピックアップによれば、光ディスクの読み取りや書き込みに不要な光ビームをビームスプリッタの手前に設けた少なくとも２つの反射ミラーによってあらかじめフロントモニタＰＤに導くことにより、書き込みパワーをロスすることなく光ディスクに出力することができる。また、半導体レーザーにおける特に高出力時の波長変動が生じた場合においても、反射ビームで反射された光ビームの光量をフロントモニタＰＤで監視することにより、フロントモニタＰＤの出力変動を低減して所望の書き込み出力を確保し、高品質の読み取り・書き込み性能を実現することができる。
【００２５】
本発明に係る光ピックアップの好ましい構成は、前記光源のうちの１つから出射されて前記ビームスプリッタで透過される前の光ビームを前記ビームスプリッタの手前でほぼ平行にする補助コリメートレンズをさらに備え、前記反射ミラーのうちの１つが、前記補助コリメートレンズと同じ位置に配置されているものである。
【００２６】
このような構成では、前記反射ミラーの１つが、前記光源の１つから出射されて前記ビームスプリッタで反射される前の光ビームのうち、光ディスクの読み取りや書き込みに不要な光ビームを反射させてフロントモニタＰＤへ導く。また、前記反射ミラーの他の１つが、前記光源の他の１つから出射されて前記ビームスプリッタで透過される前の光ビームのうち、光ディスクの読み取りや書き込みに不要な光ビーム――補助コリメートレンズを通過しない光ビーム――を反射させてフロントモニタＰＤへ導くとともに、その補助コリメートレンズと同じ位置に配置されている。
【００２７】
従って、このような構成によれば、書き込みパワーをロスすることなく光ディスクに出力することができるという前記効果を、簡単な構成によっていっそう確実に奏することができるとともに、設置場所の制約が多いいくつかの光学要素のうち少なくとも１つの反射ミラーの設置を都合よく行うことができ、スリム型光ピックアップ装置を得ることが可能になる。
【００２８】
前記補助コリメートレンズは、１つの平坦側面とこれに連なる１つの湾曲側面とからなってＤ字状横断面が形成されるように、丸棒状のものからＤ字状にカットされてなるものであるのが好ましい。また、前記補助コリメートレンズの前記平坦側面は、光ピックアップのラジアル方向と等価な方向に対して平行な面であるのが好ましい。
【００２９】
このような補助コリメートレンズによれば、光ピックアップ装置のアクチュエーターがラジアル方向にある程度（例えば±３００μｍ程度）稼動するのを見越して、ラジアル方向に光が通る面積を大きく取ることができる。
【００３０】
本発明に係る光ピックアップの好ましい構成は、前記コリメートレンズおよび前記補助コリメートレンズが、前記ビームスプリッタを挟んだ状態に配置され、かつ、前記補助コリメートレンズの前記平坦側面が、前記補助コリメートレンズに入射する光ビームの光源に正対するように配置されているものである。
【００３１】
このような構成によれば、前記コリメートレンズを２つの光源からの光ビームのために共用することが可能になるとともに、前記補助コリメートレンズに入射する光ビームの光源を立ち上げミラー側へ近づけることが可能になり、光ピックアップ装置の小型化を図ることができる。
【００３２】
前記反射ミラーは例えば、１つの斜面が反射面にされている台形プリズムから構成することができる。
【００３３】
このように構成すれば、ミラー面に□１ｍｍ程度の大きさしかとることができない光ピックアップ装置の構成要素配置上の制約から、平板ミラーでは、その取り扱いが難しく、組立時にミラー面とミラーでない面との判別も難しいが、１つの斜面が反射面にされている台形プリズムによってこれらの問題点を解消することができる。
【００３４】
前記フロントモニタＰＤの手前には、前記反射ミラーのそれぞれで反射された光ビームを受けて減衰させるアッテネータが配置されていてもよい。
【００３５】
このようなアッテネータが配置されているときには、前記光源から反射ミラーを経て前記フロントモニタＰＤに受けられた光ビームの光量が所望値よりも大きすぎる場合に、その光量を減衰させることができる。このようなアッテネータとしては、光量減衰板、ピンホール板、遮光体などが考えられる。
【００３６】
前記フロントモニタＰＤは、その入射光量が、前記反射ミラーの設置位置および／または有効反射面積を変更することにより、可変にされているのが好ましい。
【００３７】
このようなフロントモニタＰＤによれば、前記反射ミラーの設置位置および／または有効反射面積の如何により、フロントモニタＰＤに入射する光量を各光源で個別に変更することができる。
【００３８】
前記フロントモニタＰＤは、その入射光量が、前記反射ミラーのそれぞれの反射率を変更することにより、可変にされているのが好ましい。
【００３９】
このようなフロントモニタＰＤによれば、前記反射ミラーの反射率を各光源からのフロントモニタＰＤへの光量が所定の数値になるように変更することで、反射ミラーの部品特性のばらつき、フロントモニタＰＤの部品特性のばらつきなどを吸収し、光電変換された電圧を電気的にボリューム抵抗で所定の数値に調整することができる。
【００４０】
本発明の別の観点によれば、本発明の１つの観点による前記光ピックアップ装置を備えてなること特徴とする光ディスク装置が提供される。
【００４１】
このように構成された光ディスク装置によれば、光ディスクの読み取りや書き込みに不要な光ビームをビームスプリッタの手前に設けた少なくとも２つの反射ミラーによってあらかじめフロントモニタＰＤに導くことにより、書き込みパワーをロスすることなく光ディスクに出力することができる。また、半導体レーザーにおける特に高出力時の波長変動が生じた場合においても、反射ビームで反射された光ビームの光量をフロントモニタＰＤで監視することにより、フロントモニタＰＤの出力変動を低減して所望の書き込み出力を確保し、高品質の読み取り・書き込み性能を実現することができる。
【００４２】
【発明の実施の形態】
以下、添付図面を参照しながら、本発明における２つの実施の形態を説明する。なお、これらによって本発明が限定されるものではない。
【００４３】
図１には、本発明における１つの実施の形態に係る光ピックアップ装置の光出力系が示されている。この光ピックアップ装置は、第１光源１と、第２光源２と、２つの直角プリズム３，４を波長選択膜５により貼り合わせたビームスプリッタ６と、フロントモニタＰＤ７と、コリメートレンズ８と、立ち上げミラー９と、反射ミラーＤ１０と、反射ミラーＣ１１と、対物レンズ（図示略）とを備えてなる。
【００４４】
第１光源１は波長λ１のレーザー光を出射する。第２光源２は波長λ２のレーザー光を出射する。ビームスプリッタ６は、第１光源１からの光ビームを反射させ、第２光源２からの光ビームを透過させる。すなわち、ビームスプリッタ６における波長選択膜５が、第１光源１からの光ビームをほぼ１００％反射させるとともに、第２光源２からの光ビームをほぼ１００％透過させる。
【００４５】
コリメートレンズ８は、ビームスプリッタ６で反射されあるいは透過された光ビームを平行にする。立ち上げミラー９は、コリメートレンズ８で平行にされた光ビームを立ち上げのために反射させる。対物レンズは、立ち上げミラー９で反射されたレーザー光を透過させる。
【００４６】
この光ピックアップ装置の小型化のためには、第２光源２を立ち上げミラー９側に近づける必要がある。そこで、ビームスプリッタ６を挟んで、コリメートレンズ８とカップリングレンズ１２とを配置することにより、第２光源２からの光ビームが平行光になるように設計されている。カップリングレンズ１２は、第２光源２から出射されてビームスプリッタ６で透過される前の光ビームをビームスプリッタ６の手前でほぼ平行にする補助コリメートレンズとして機能する。
【００４７】
また、部品点数を削減するために、コリメートレンズ８は、第１光源１からの光ビームについてのものを第２光源２からの光ビームについてのものに共用している。
【００４８】
波長選択膜５は、第１光源１からの波長λ１のレーザー光をほぼ１００％反射させる。このため、波長λ１のレーザー光のほぼ１００％は、波長選択膜５で反射され、コリメートレンズ８を通じて立ち上げミラー９に入射し、立ち上げミラー９で反射されて、対物レンズを介して出力される。
【００４９】
また、波長選択膜５は、第２光源２からの波長λ２のレーザー光をほぼ１００％透過させる。このため、波長λ２のレーザー光はカップリングレンズ１２を通過し、通過した光のほぼ１００％は、波長選択膜５を透過し、コリメートレンズ８、立ち上げミラー９、対物レンズを介して出力される。
【００５０】
また、波長λ１のレーザー光は、光ディスクへの書き込みや信号の再生（読み取り）では用いない不要光が反射ミラーＤ１０で反射される。このレーザー光はフロントモニタＰＤ７に入射し、その光量がフロントモニタＰＤ７で検出される。
【００５１】
図２には、この光ピックアップ装置を図１の１００の方向から見た図が示されている。波長λ１のレーザー光は、１３のような広がりを有しており、光ディスクへの書き込みや信号の再生で用いるのは１４の領域のみである。そこで、反射ミラーＤ１０を図のように配置し、書き込み時や信号の再生時おける不要光をフロントモニタＰＤ７に導くことにより、光量検出を行う。
【００５２】
また、波長λ２のレーザー光は、光ディスクへの書き込みや信号の再生では用いない不要光が、カップリングレンズ１２と同じ位置に配置された反射ミラーＣ１１で反射され、フロントモニタＰＤ７に入射し、その光量がフロントモニタＰＤ７により検出される。
【００５３】
図３には、図１の２００の方向から見た図が示されている。波長λ２のレーザー光は１５のような広がりを有しており、ビームスプリッタ６の前にあるカップリングレンズ１２を通過しない光が前記不要光である。そこで、反射ミラーＣ１１を図のように配置し、その不要光をフロントモニタＰＤ７に導くことにより、光量検出を行う。
【００５４】
このように、第１光源１および第２光源２から出射された光ビームのいずれも、同一のフロントモニタＰＤ７に入射される。
【００５５】
図４には、カップリングレンズ１２と反射ミラーＣ１１との位置関係が示されている。カップリングレンズ１２は、１つの平坦側面とこれに連なる１つの湾曲側面――円柱側面――とからなってＤ字状横断面が形成されるように、丸棒状のものからＤ字状にカットされてなる。
【００５６】
カップリングレンズ１２のＤ字状カット面――平坦側面――は、この光ピックアップ装置のラジアル方向と等価なｙ方向であることが望ましい。なぜなら、光ピックアップ装置のアクチュエーターがラジアル方向に±３００μｍ程度稼動するので、ラジアル方向には光が通る面積を大きく取る必要があるからである。従って、カップリングレンズ１２のＤ字状カット面は図４のようなｙ方向に平行な面であり、このカット面の下に反射ミラーＣ１１を配置する。
【００５７】
図５には、反射ミラーＤ１０および反射ミラーＣ１１の形状が示されている。これらの反射ミラーＤ１０，Ｃ１１は、正面形状が台形形状で１つの斜面が反射面にされている台形プリズムからなっている。
【００５８】
これらの反射ミラーＤ１０，Ｃ１１を台形プリズムから構成した理由は次のとおりである。すなわち、ミラー面に□１ｍｍ程度の大きさしかとることができない光ピックアップ装置の構成要素配置上の制約から、平板ミラーでは、その取り扱いが難しく、組立時にミラー面とミラーでない面との判別も難しいが、１つの斜面が反射面にされている台形プリズムによってこれらの問題点を解消することができるからである。
【００５９】
図６には、本発明における別の実施の形態に係る光ピックアップ装置が示されている。この光ピックアップ装置では、図１と同じ構成に加えて、フロントモニタＰＤ７の前にアッテネータ１６を配置し、フロントモニタＰＤ７に入射する光量を減衰させるように構成されている。
【００６０】
第１光源１から入射する光量および第２光源２から入射する光量がいずれも、ねらい値（所望値）よりも大きくなる場合には、フロントモニタＰＤ７の手前にアッテネータ１６を配置し、入射光量を減衰させる。アッテネータ１６としては、光量減衰板、ピンホール板、遮光体などが考えられる。
【００６１】
図７には、光源１（２）と反射ミラーＤ１０（Ｃ１１）との配置関係が示されている。図７において、光源１（２）から出射されたレーザー光の光量が最も多いのは、１９の点であり、その点からｚ方向へ離れるほど光量は少なくなる。言い換えると、反射ミラーＤ１０（Ｃ１１）は、１９の点に近づくほどフロントモニタＰＤ７へ入射する光量が多くなり、逆に、１９の点から遠ざかるほどフロントモニタＰＤへ入射する光量が少なくなる。
【００６２】
ただし、反射ミラーＤ１０（Ｃ１１）の配置箇所は、自由に設計できるわけではない。
【００６３】
すなわち、＋ｚ方向は、光ディスクへの書き込みや信号の再生のために用いる領域（必要光範囲）１８で制限され、−ｚ方向は、光ピックアップ装置の厚みの制約から制限される。また、＋ｘ方向は、−ｚ方向と同じ効果があり、フロントモニタＰＤ７への入射光量が少なくなるように機能し、一方、−ｘ方向は、＋ｚ方向と同じ効果があり、フロントモニタＰＤ７への入射光量が多くなるように機能する。
【００６４】
ただし、ｘ方向についても、周りの光学部品との兼ね合いで、反射ミラーＤ１０（Ｃ１１）の配置スペースが制約されるので、制約の範囲内で最適光量に設計する。また、反射ミラーＤ１０（Ｃ１１）の有効反射面積に関しても、前記の配置上の制約と同様に、厚みの制約と必要光の制約との範囲内で変更しなければならない。
【００６５】
さらに、フロントモニタＰＤ７に入射する光量を変更する方法として、反射ミラーＤ１０（Ｃ１１）の反射率を変えることが考えられる。
【００６６】
この方法では、光ピックアップ装置の制約に左右されることはない。ただし、反射率を１００％以上にはできないので、光量を増加させることはできない。また、反射率を極端に小さく、例えば１０％にすると、反射ミラーＤ１０（Ｃ１１）の反射率が１％変化した場合には、フロントモニタＰＤ７の出力変化は約１０％となる。そして、半導体レーザーの出射光の出力も約１０％変化し、対物レンズにより光ディスク上に集光されるスポットの光量も約１０％変化してしまうため、課題の解決にはならない。
【００６７】
そのあたりを考慮して、光ピックアップ装置の制約が許す限り、反射ミラーＤ１０（Ｃ１１）の有効反射面積および配置によってフロントモニタＰＤ７に入射する光量が所望の数値になるように設計するのが望ましい。これに対して、反射率を極端に小さくすることは望ましくない。
【００６８】
このように、２つの光源１，２からフロントモニタＰＤ７に入射される光量が所定の数値になるように設計し、反射ミラーＤ１０（Ｃ１１）の部品特性のばらつきやフロントモニタＰＤ７の部品特性のばらつきなどを吸収するために、光電変換された電圧を電気的にボリューム抵抗で所定の数値に調整する。
【００６９】
このとき、ボリューム抵抗の調整範囲は一般的に０．５倍から２．０倍程度であるので、部品特性のばらつきを考慮して、この範囲内に光量が含まれるように設計する必要がある。
【００７０】
これらにより、１つのフロントモニタＰＤ７で２つの光源１，２の出射光量を制御することができる。
【００７１】
【発明の効果】
本発明の光ピックアップ装置およびそれを備えてなる光ディスク装置によれば、光ディスクの読み取りや書き込みに不要な光ビームをフロントモニタＰＤに導くことにより、書き込みパワーをロスすることなく光ディスクに出力することができるとともに、半導体レーザーにおける特に高出力時の波長変動が生じた場合においても、フロントモニタＰＤの出力変動を低減して所望の書き込み出力を確保し、高品質の読み取り・書き込み性能を実現することができる。
【図面の簡単な説明】
【図１】図１は、本発明における１つの実施の形態に係る光ピックアップ装置の光出力系の構成を示す構成説明図である。
【図２】図２は、図１の光ピックアップ装置における第１光源からの光ビームをフロントモニタＰＤに導く構成を示す構成説明図である。
【図３】図３は、図１の光ピックアップ装置における第２光源からの光ビームをフロントモニタＰＤに導く構成を示す構成説明図である。
【図４】図４は、図１の光ピックアップ装置におけるカップリングレンズと反射ミラーとの位置関係を示す図である。
【図５】図５は、図１の光ピックアップ装置における反射ミラーの外形を示す図である。
【図６】図６は、本発明における別の実施の形態に係る光ピックアップ装置の光出力系の構成を示す構成説明図である。
【図７】図７は、図１および図６の光ピックアップ装置における光源と反射ミラーとの配置関係を示す図である。
【図８】図８は、従来の光ピックアップ装置における光出力系の構成を示す構成説明図である。
【符号の説明】
１：第１光源
２：第２光源
３：三角プリズム
４：三角プリズム
５：波長選択膜
６：ビームスプリッタ
７：フロントモニタＰＤ
８：コリメートレンズ
９：立ち上げミラー
１０：反射ミラーＤ
１１：反射ミラーＣ
１２：カップリングレンズ（補助コリメートレンズ）
１３：第１光源からのレーザー出射光
１４：光ディスクへの書き込みや信号の再生で用いる領域
１５：第２光源からのレーザー出射光
１６：アッテネータ
１７：レーザー出射光
１８：光ディスクへの書き込みや信号の再生で用いる領域
１９：レーザー光量が最大になるポイント
【図１】
2005025850.tif 000003
【図２】
2005025850.tif 000004
【図３】
2005025850.tif 000005
【図４】
2005025850.tif 000006
【図５】
2005025850.tif 000007
【図６】
2005025850.tif 000008
【図７】
2005025850.tif 000009
【図８】
2005025850.tif 000010